(57)【要約】【課題】流れ抵抗を少なくするために、ファンブレードを空転させることができる遠心クラッチを備えた装置を提供する。【解決手段】  ファンが故障すると外れて空転するように構成されている遠心クラッチ（１０２）を有する電子機器用冷却ファン（１００）を備える装置を提供する。【選択図】図１
2007120502.tif 000002
【特許請求の範囲】
【請求項１】
ファンが故障すると外れて空転するように構成されている遠心クラッチを有する電子機器用冷却ファンを備えることを特徴とする装置。
【請求項２】
シャーシと、
前記シャーシに収容されている少なくとも１つの電子部品と、
前記シャーシに収容されている複数の電子機器用冷却ファンであって、前記複数の電子機器用冷却ファンのそれぞれは、ファンが故障すると外れて空転するように構成されている遠心クラッチを有する複数の電子機器用冷却ファンとを備えることを特徴とする電子システム。
【請求項３】
係合したままであり、故障して外された電子機器用冷却ファンを空転させるファン回転を駆動する空気流を作り出すように構成される、前記複数の電子機器用冷却ファン内の少なくとも１つの故障していない電子機器用冷却ファンをさらに備えることを特徴とする請求項２に記載の電子システム。
【請求項４】
互いに独立して作動するように構成されている前記複数の電子機器用冷却ファンをさらに備えることを特徴とする請求項２に記載の電子システム。
【請求項５】
前記電子機器用冷却ファンのそれぞれは、
モータと、
ブレードアセンブリと、
前記モータ及び前記ブレードアセンブリを回転可能に連結する前記遠心クラッチとを備え、
前記遠心クラッチは、前記モータが発生させる遠心力に応じて、係合して前記ブレードアセンブリの回転運動を駆動するように構成されていることを特徴とする請求項１又は請求項２に記載の装置又は電子システム。
【請求項６】
遠心力の所定の減少に応じて外れて、前記ブレードアセンブリを空転させるようにさらに構成されている前記遠心クラッチをさらに備えることを特徴とする請求項１又は請求項２に記載の装置又は電子システム。
【請求項７】
直流モータと、
前記直流モータに連結されるとともに前記直流モータによって駆動されるハブと、
前記ハブの周りを半径方向に囲んで配置されるとともに、前記ハブの外表面に順応する内表面を有するクラッチウェイトアセンブリと、
少なくとも１つのファンブレードと、
前記クラッチウェイトアセンブリの周りを半径方向に囲んで配置されるとともに、前記クラッチウェイトアセンブリの外表面に順応する内表面を有する外胴であって、前記少なくとも１つのファンブレードは前記外胴の外表面に取り付けられる外胴と、
前記クラッチウェイトアセンブリと前記外胴との間に配置される軸受システムであって、モータ及び／又は軸受システムの故障状態の際に、前記外胴及び前記少なくとも１つのファンブレードを空転回転させることができるように構成されている軸受システムとをさらに備えることを特徴とする請求項１又は請求項２に記載の装置又は電子システム。
【請求項８】
前記クラッチウェイトアセンブリを形成する複数のクラッチマス部と、
選択された前記クラッチマス部を連結する少なくとも１つのばねであって、前記直流モータが動いていない場合に、前記ハブに隣接した位置に前記クラッチマス部を後退させるように構成される少なくとも１つのばねとをさらに備えることを特徴とする請求項７に記載の装置又は電子システム。
【発明の詳細な説明】
【技術分野】
【０００１】
本発明は、電子機器用冷却ファンのための遠心ファンクラッチに関する。
【背景技術】
【０００２】
コンピュータシステム、ネットワークインタフェース、ストレージシステム、及び電気通信機器等の電子システム及び電子機器は一般に、これらの支持、物理的セキュリティ、及びスペースの効率的な利用のために、シャーシ、キャビネット、又はハウジング内に収容されている。筐体内に収容されている電子機器は、相当な量の熱を発生する。この熱を除去しなければ、電子機器に熱損傷が生じる可能性がある。
【０００３】
電子システムは一般に、プロセッサ、中央処理装置（ＣＰＵ）、信号プロセッサ等の放熱部品を有する。１つ又は複数のファンを用いて、システム内を通り部品の上にわたるように空気を強制的に通して、放熱部品が過熱しないようにする。ここ数年、電子システムは実装密度がより高くなっているため、電力及び放熱の許容内でのシステム設計がより困難となっている。このようなシステム進化により、消費電力の面とシステム全体の放熱特性に関するファン効果の面とにおける設計が試みられている。
【０００４】
電子システムは、例えば、１つ又は複数のファンが故障した場合に十分な冷却及び冗長性を与えるように直列に配置された複数のファンを含む、複数のファンを有してもよい。
【発明の開示】
【発明が解決しようとする課題】
【０００５】
直列接続されたファンの１つ又は複数が、種々の機械的又は電気的な故障、停電、又は、システムの電力量を超えて作動させようとすることによるシャットダウン、ファンロータの物理的な妨げ等のいずれかに起因して故障する場合、故障したファンはシステム内を通る冷却空気流に抗力を生じるであろう。空気流路内の抗力により、他のファンへの要求が増し、電子部品及び装置が過熱し、また、電子機器の性能の劣化が生じる可能性がある。電子機器用冷却ファンは通常、ロータが動かなくなるという、モータ軸受の潤滑剤の乾燥により故障する。動かないファンブレードによって生じる遮断により、ファン故障は、電子システム内の空気流に対し大きな抵抗を生じる可能性がある。
【課題を解決するための手段】
【０００６】
本発明の装置は、ファンが故障すると外れて空転するように構成されている遠心クラッチを有する電子機器用冷却ファンを備えることを特徴とする。
【０００７】
構造及び作動方法に関する本発明の実施形態は、以下の説明及び添付の図面を参照することで最もよく理解されるであろう。
【発明を実施するための最良の形態】
【０００８】
電子機器用冷却ファンにおける故障の一般的な原因は、モータ軸受の潤滑剤が乾燥することである。乾燥した潤滑剤によりロータが動かなくなる可能性があり、そのため、動かないファンブレードの遮断により電子システム内の空気流に対して大きな抵抗が生じる可能性がある。ファンに単純な遠心クラッチを付け加えることで、ファンブレードを空転させることができ、それにより、流れの抵抗が少なくなる。
【０００９】
遠心クラッチは、単純で効果的な構造及び技法で加えられる遠心力に基づき作動及び停止し、（この遠心クラッチは）取り付けられたファンモータの回転によって起動される。モータが減速するか又は停止すると、遠心クラッチが外れて、これによりファンブレードがモータとは独立して回転することが可能となる。遠心クラッチは全機械式構造で実装される。
【００１０】
図１を参照すると、斜視図は、ファンが故障すると外れて空転するように構成されている遠心クラッチ１０２を備える電子機器用冷却ファン１００の一実施形態を示す。
【００１１】
例示的な一実施形態では、電子機器用冷却ファン１００は、モータ１０４とブレードアセンブリ１０６とをさらに備える。遠心クラッチ１０２は、モータ１０４とブレードアセンブリ１０６とを回転可能に連結し、遠心クラッチ１０２はモータ１０４によって発生される遠心力に応じて、ブレードアセンブリ１０６と係合し、ブレードアセンブリ１０６の回転運動を駆動する。
【００１２】
例示的な遠心クラッチ１０２はさらに、遠心力の所定の減少に応じて、外れることでブレードアセンブリ１０６を空転させることを可能にするように設計されている。
【００１３】
電子機器用冷却ファン１００は、電子機器、軸受、巻線、及び任意の他の部品の機能等、モータ作動のいずれか及び全ての側面を含めた、モータ１０４の故障を克服する。モータ１０４がいずれかの作動的側面において故障すると、このモータ１０４は、角運動又は回転をやめ、それにより、遠心クラッチ１０２が撤回し（引っ込み）、ファン１００が空転する。
【００１４】
ファンは通常、ファンモータ又はファン軸受がその場で動かなくなる結果として故障し、そして、ファンブレードをその位置で止まらせてしまう。複数のファンを有するシステムでは、故障により動かないファンブレードが空気流を遮断する可能性があり、場合によりシステム内部温度が上昇する。遠心クラッチを組み込んだ図示のファンにより、故障したファンを空転させ、遮断をなくし、空気流を維持するようにすることができる。図２Ａ、図２Ｂ、及び図２Ｃを参照すると、前面図、斜視図、及び断面図がそれぞれ、ファンが故障すると外れて空転するように構成されている遠心クラッチ２０２を有する電子機器用冷却ファン２００の一実施形態を示す。電子機器用冷却ファン２００は、直流（ＤＣ）モータ（ブラシレス直流モータ）２０４（図２Ｃ）、直流モータ２０４に接続されるとともにこのモータによって駆動されるハブ２０８（図２Ａ）、及びクラッチウェイトアセンブリ２１０（図２Ａ）を備える。クラッチウェイトアセンブリ２１０は、ハブ２０８の周りを半径方向で囲んで位置し、ハブ２０８の外表面に順応する内表面を有する。電子機器用冷却ファン２００はまた、１つ又は複数のファンブレード２１２を含むファンブレードアセンブリ２０６を有する。外胴２１４がクラッチウェイトアセンブリ２１０の周りを半径方向で囲んで位置し、クラッチウェイトアセンブリ２１０の外表面に順応する内表面を有する。１つ又は複数のファンブレード２１２は外胴２１４の外表面に取り付けられる。電子機器用冷却ファン２００は、クラッチウェイトアセンブリ２１０と外胴２１４との間に位置する軸受システム２１６（図２Ｃ）をさらに備える。軸受システム２１６は、モータ２０４又は軸受システム２１６が故障した状態で、外胴２１４及びファンブレード２１２が空転する（自由に回転する）ことができるように設計されている。
【００１５】
遠心クラッチ２０２は、遠心力を用いて、摩擦装置が駆動シャフト２２２上（駆動シャフト２２２の周り）の外胴２１４で止まるまで、駆動シャフト２２２上（駆動シャフト２２２の周り）で摩擦装置を広げる。
【００１６】
いくつかの実施形態では、クラッチウェイトアセンブリ２１０は、複数のクラッチマス部２１８を有する。１つ又は複数のばね２２０が、選択されたクラッチマス部２１８（クラッチマス部２１８同士）を接続するように構成される。ばね２２０は、直流モータ２０４が作動していない場合にハブ２０８に隣接した位置にクラッチマス部２１８を後退させるように構成される。モータ２０４の回転速度により、遠心クラッチ２０２に対する作用力が生じ、クラッチマス部２１８（クラッチマス部２１８同士）を離すように駆動し、外胴２１４を（クラッチマス部２１８と）係合させ、外胴２１４及び取り付けられたファンブレードアセンブリ２０６を回転させる。回転がない場合、ばね２２０は、外胴２１４との接触がなくなるようにクラッチマス部２１８を後退させ、外胴２１４及びファンブレードアセンブリ２０６が空転することができるようにする。
【００１７】
例えば冗長ファン構成（直列で配置されるような冗長なファン構成）で実施される空転するファン２００では、固定又は静止したファンブレードがもたらす遮断よりも空気流の制約がはるかに少ない。直列配置の冗長ファンでは、ファンの１つが故障してロータ２２２が止まっている状態の場合に、遠心クラッチ２０２により、故障していない作動中のファンによって駆動される空気流に対する最小限の抵抗又は制約しか与えないようにすることができる。
【００１８】
別の故障状態ではファンは、軸受の故障により作動しなくなる場合があり、その場合では潤滑剤が軸受からなくなるか又は変質するために軸受が動かなくなってファンが停止する。遠心クラッチ２０２はまた、軸受の故障（軸受破損）をも修復する。ファンモータ用の軸受が動かなくなると、遠心クラッチ２０２が解除され、外胴２１４用の軸受が自由に回転することができ、これにより、空気流が空転するブレードを自由に通過することができる。
【００１９】
図示の実施形態では、ファン２００は軸受２１６を有して構成されることが可能である。例えば、軸受２１６はモータ２０４に隣接して配置されることで、モータが動かなくなることにより遠心クラッチ２０２が後退し、ロータ２２２をモータ２０４から外すようにすることができる。別の軸受２１６が、ブレードアセンブリ２０６が空転するように、配置されてもよい。
【００２０】
図２Ｃに示す断面図は、図示の実施形態における軸受２１６の位置を示す。図示のファン２００は、外胴２１４及びモータハブ（ハブ）２０８を備える入れ子構成を有する。クラッチウェイト（クラッチマス部）２１８が外胴２１４内に入れ子になっており（入れ子式に収納されており）、モータハブ２０８がクラッチウェイトアセンブリ２１０のクラッチウェイト２１８内に配置される。モータハブ２０８の内側には、モータマグネット２２４及び電機子２２６が入れ子になっている（入れ子式に収納されている）。モータハブ２０８は、モータ２０４、カム２２８、マグネット２２４、電機子２２６、及び電機子２２６に巻かれているワイヤを収容している。ロータ又はシャフト２２２は、モータハブ２０８のほぼ中心に延び、カム２２８に取り付け固定される。軸受２３２が電機子２２６とシャフト２２２との間に連結され、電機子２２６をシャフト２２２に対して摺動させることを可能にする（前記シャフト２２２は、軸受２３２によって可能になる制約された相対運動を通じて、電機子２２６に対して回転及び摺動することができる）。ばね２３４がシャフト２２２に設けられ、（ばね２３４が）クラッチ板２３６と電機子２２６との間に位置付けされることで、（ばね２３４が）軸受２３２に予荷重をかけるようになっている。プリント回路基板２３８がモータ２０４に取り付けられ、モータ２０４を制御及び駆動する部品を保持する。電機子２２６は定位置に保持され、シャフト２２２の軸受２３２によりシャフト２２２が自由に回転することが可能となる。シャフト２２２は、クラッチ板２３６の開口を通って外胴２１４の軸受筒（２３８）に延びている。シャフト２２２と外胴２１４又はハウジングとの間の軸受２１６により、外胴２１４がシャフト２２２に対して回転することが可能となる。
【００２１】
いくつかのファン実施形態は、２つの軸受２１６を有することができ、そのため、一方の軸受が動かなくなっても、遠心クラッチ２０２がファンを空転させることができるように作動することを妨げないようになっている。第１の軸受及び第２の軸受を有する特定の配置では、第１の軸受は一般に、クラッチがブレードアセンブリの回転を駆動すると作動状態となるが、第２の軸受は、第１の軸受がもはや作動しなくなったときに作動するための予備として控えたままとなる。遠心クラッチがファン作動から外れると、軸受も応力を受けない。第１の軸受が故障すると第２の軸受が作動可能となり、この第２の軸受は予備として予め保持されているため、一般に良好な状態にある。
【００２２】
図示の実施形態では、軸受２１６は、モータ又は一次軸受（軸受）２３２が故障するとファンブレードの空転を可能にする冗長軸受である。通常の作動中、遠心クラッチウェイト２１０は、ファンブレードアセンブリ２０６が取り付けられている外胴２１４との接触（遠心クラッチウェイト２１０の外胴２１４との接触）を行うように回転することでファンブレードを回転させる際に、外方に駆動される。
【００２３】
軸受２１６が動かなくなり、そのためモータが動かなくなる場合、クラッチ２０２が係合される。軸受２１６は回転せず、シャフト２２２と外胴２１４とが、シャフト２２２がカム２２８に取り付け固定されているために一緒に回転する。クラッチ２０２は、軸受２１６が固定されて作動しないように、外胴２１４内にカム２２８の相対位置を固定する。例えばファン２００と平行に配置された別のファンが生成する空気流が、（クラッチ板２３６が引き寄せるため）軸受２１６が動かなくなるにもかかわらず、空転することができるファン２００を通過する。
【００２４】
各種実施形態では、例えば、スリーブ軸受、ボールベアリング、テーパ状ローラベアリング他等を含む任意の適したタイプの軸受を実装され得る。軸受は一般に、回転又は直動用途において摩擦を抑制、誘導、又は低減するのに用いられる。スリーブ軸受は、ボール、ローラ、及びニードル軸受の回転作用よりもむしろ、摺動作用によって機能する。軸受はすべて、潤滑剤を用いて摩擦及び摩耗を低減する。流体膜軸受、自己潤滑軸受、静圧軸受、及び動圧軸受を含めた種々のタイプの軸受系を用いることができる。
【００２５】
他のファン実施形態では、外胴及びファンブレードアセンブリが、適した低質量及び適当な釣り合いを有する場合は片軸受で十分であろう。
【００２６】
図２Ａ、図２Ｂ、及び図２Ｃは、遠心クラッチ２０２の特定の例示的な実施形態を示す。例えば、特に自動車産業において、遠心クラッチの多くの種々の構成、配置、及び構造が知られている。各種実施形態の電子システムファンに従っていずれの適した配置が実施されてもよい。
【００２７】
図３Ａ及び図３Ｂを参照すると、シャーシ３２４すなわちハウジング、シャーシ３２４に収容されている１つ又は複数の電子部品３２６、及びシャーシ３２４に収容されている複数の電子機器用冷却ファン３００を備える、例示的な実施形態の電子システム３２２が示されている。個々の電子機器用冷却ファン３００は、ファンが故障すると外れて空転させるように構成されている遠心クラッチ３０２を備える。
【００２８】
冗長ファン電子システム３２２では、シャーシ３２４内にありシャーシ３２４に接続される電子機器用冷却ファン３００は、作動させる必要がない場合があるため、動力は、意図的且つ選択的に拒まれる動力（拒否動力）とすることができる。それに応じて、モータは回転せず、遠心クラッチ３０２はファンブレードを離し（ファンブレードを）空転させることを可能にするであろう。これらファンブレードは、上流気流又は下流気流によって駆動される場合に空転する。無動力ファンは、抵抗がほとんどないか又は全くない状態で、軸受上で回転する。これとは対照的に、遠心クラッチ及び関連の軸受システムのない従来のファンでは、ファンブレードは、モータが一般にファンブレードと一体となっているために空転せず、そのため、モータによりファンブレードの回転に抵抗が生じる。
【００２９】
複数の電子機器用冷却ファン３００は、少なくとも１つの故障していない電子機器用冷却ファンが係合したままであり、故障したファンの回転を駆動することができる空気流を作り出すように配置される。遠心クラッチ３０２は、ファンのブレードアセンブリ３０６を外し、ブレードアセンブリ３０６を空転できるようにし、よって、故障していないファンによって生成される空気流により（ブレードアセンブリ３０６が）回転することができる。
【００３０】
複数の電子機器用冷却ファン３００は、作動可能であるとともに故障状態にない場合は、相互に独立して作動するように構成されている。
【００３１】
故障状態では、直列接続された電子機器用冷却ファン３００の少なくとも１つの故障していないファンは、係合したままであり、外されたファンを回転させる空気流を作り出す。したがって、取り付けられたモータ又は軸受の故障によりもはや作動していないファンが遠心クラッチによって外され、空転することが可能になる。ファンに連結されたモータが作動していない場合、すなわちその場で動かなくなっている場合であっても、外されたファンは、直列接続された他の故障していないファンが生成する空気流により回転し始める。
【００３２】
図示の電子機器用冷却ファン３００及び関連のシステム３２２により、モータの故障又はその他の故障の場合にファンブレードが回転することが可能となり、それにより、流れ抵抗が低減する。これとは対照的に、従来のシステムではファンモータが故障すると、その結果、ロータファンが動かなくなる。止まったロータファンは一般に、ファンを外して空転させることを可能にする図示のシステムに比して、シャーシ温度がかなり上がることになる。
【００３３】
遠心クラッチ３０２を用いる電子機器用冷却ファンの実施形態では、ファンが故障したことに起因する冷却性能の低下を克服するのにより強力なファンを必要とせずに、十分なシステム冷却が可能になる。図示の実施形態はまた、冗長なＮ＋１冷却を容易にする。
【００３４】
図示の遠心クラッチ３０２を実施する電子機器用冷却ファン３００では、故障したファンを通る流れ抵抗を低減させるため、ファンが故障している状態で部品を適正に冷却するためのさらなるファンを付け加えることなく十分なシステム冷却が可能になる。図示の電子機器用冷却ファンではさらに、より小型のシステムが組み立てられることが可能になり、そのため、動かなくなったモータによる故障に対処しつつ、ファンをより大型にする必要性がなくなる。
【００３５】
図示の電子システム３２２は、ファン３００を含む複数の電子機器用冷却ファンを収容する。ファンが故障すると外れて空転させるとともに、モータが生成する遠心力に応じてブレードアセンブリ３０６と係合して、ブレードアセンブリ３０６の回転運動を駆動するように設計されている遠心クラッチ３０２とともに、電子機器用冷却ファン３００は実施される。
【００３６】
電子機器用冷却ファン３００は、１つ又は複数の電子部品３２６を収容するように構成されているシャーシ３２４を提供すること、及び、シャーシ３２４の内部のうち部品３２６を冷却するのに適した位置にファン３００を選択的に位置付けすることによって用いられる。典型的な有用な配置では、１つ又は複数の冷却ファン３００は、シャーシ３２４の内部に直列に位置付けされる。電子システム３２２は、プロセッサ、中央処理装置、コンピュータ、論理等の制御要素である部品３２６を含み得る。
【００３７】
遠心クラッチ３０２は、半径方向の動きによって作動し、通常、駆動装置上に搭載された半径方向に移動可能な遠心ウェイトを有する。遠心力により、その遠心ウェイトは特定のトルク摩擦をクラッチに伝達する。半径方向の速度の限界に達すると、自動的に連結（遠心ウェイトとクラッチとの連結）が行われ、その結果、負荷なしで駆動モータが起動する。遠心クラッチ３０２が通常のファン動作の際に係合するとともに、モータ又は軸受の故障状態又は他の故障状態等、ファンが故障すると外れる。直列のファン３００の構成により、故障しており、これにより空転している電子機器用冷却ファン３００が、冗長ファンを作動することによって生成される空気流により駆動することができる。
【００３８】
冗長ファン構成では、直列のファン構成は、Ｎ＋１個の冷却ユニットを用いる冷却からＮ個の冷却ユニットを有する冷却に低下する結果となる、ファンシステムに関連した故障の場合に、性能を向上させるように作動し、ここでは、Ｎは、特定のシステムを冷却するのに十分な冷却ユニットの指定数を表す。
【００３９】
２つのファンを直列に配置することは、Ｎ＋１の冷却を行う典型的な技法であり、これにより、１つのファンが損なわれても作動しているファンがＮ個残ることで、有害な熱の影響なくシステムの冷却を維持する。従来のＮ＋１の冷却システムに伴う難点は、１つのファンが故障すると、Ｎ個のファンを用いて得られる空気流よりも空気流の性能が低下しやすくなるという点であるが、この理由は、故障したファンにより空気流の抵抗が生じるため、全体の空気流が弱まるからである。ファンをその場で止めるモータの故障によって、空気流の抵抗がさらに増大する。通常、増大した空気流の抵抗は、システムのコストをかなり高くする技法であるさらなるファンを付け加えること又はファンの出力を増大させること等の過剰設計の労力により埋め合わせされる。
【００４０】
図示の電子システム３２２は、ファンの故障に起因する冷却低下を減らすか又はなくし、より小型の冷却システム、したがって、より小型の電子システムの使用も可能にするが、この理由は、止まったロータを克服するのに十分に強力なより大型のモータ及び／又はファンの使用を回避されるからである。
【００４１】
本発明は各種実施形態を記載しているが、これらの実施形態は例示的であるとともに特許請求の範囲を限定しないものとして理解されたい。記載されている実施形態の多くの変形、変更、追加、及び改良が可能である。例えば、当業者は、本明細書中に開示されている構造及び方法を提供するのに必要なステップを容易に実施することであろうし、また、プロセスパラメータ、材料、及び寸法は例示としてのみ与えられていることを理解するであろう。パラメータ、材料、及び寸法は、特許請求の範囲内での所望の構造及び変更を達成するように変えることができる。例えば、特定のタイプの遠心クラッチを図示して説明しているが、いずれもの適した遠心クラッチを用いてもよい。同様に、構造及び技術を示しやすくするために種々の単純な複数のファン配置が示されている。ファン、モータ、遠心クラッチ等のいずれもの適した数及び配置を用いてもよく、それらは本明細書の範囲内にある。
【図面の簡単な説明】
【００４２】
【図１】ファンが故障すると外れて空転するように構成されている遠心クラッチを備える電子機器用冷却ファンの一実施形態を示す斜視図である。
【図２Ａ】ファンが故障すると外れて空転するように構成されている遠心クラッチを有する電子機器用冷却ファンの一実施形態を示す前面図である。
【図２Ｂ】ファンが故障すると外れて空転するように構成されている遠心クラッチを有する電子機器用冷却ファンの一実施形態を示す斜視図である。
【図２Ｃ】ファンが故障すると外れて空転するように構成されている遠心クラッチを有する電子機器用冷却ファンの一実施形態を示す断面図である。
【図３Ａ】ファンが故障状態にある際にファンを空転させることを可能にする遠心クラッチを有する電子機器用冷却ファンを含む電子システムの例示的な実施形態を示す斜視図である。
【図３Ｂ】ファンが故障状態にある際にファンを空転させることを可能にする遠心クラッチを有する電子機器用冷却ファンを含む電子システムの例示的な実施形態を示す斜視図である。
【符号の説明】
【００４３】
１００、３００          電子機器用冷却ファン
１０２、３０２          遠心クラッチ
３２２                  電子システム
３２４                  シャーシ
３２６                  電子部品
【図１】
2007120502.tif 000003
【図２Ａ】
2007120502.tif 000004
【図２Ｂ】
2007120502.tif 000005
【図２Ｃ】
2007120502.tif 000006
【図３Ａ】
2007120502.tif 000007
【図３Ｂ】
2007120502.tif 000008